(57)【要約】    【課題】    視覚的な動的効果を、安価にかつ効果的に生じさせることができるシルクスクリーン印刷物を提供することを課題とする。    【解決手段】    透明平板１２の表裏二面１２ａ，１２ｂの模様を第１、第２の線状パターン１３，１４で構成し、かつ、これらの線状パターン１３，１４を平行直線状とすると共に、各パターン１３，１４を構成する直線１５，１６を両線状パターン１３，１４間で平行とし、さらに、直線１５，１６の繰返し周期としてのピッチＰ１，Ｐ２を同一とすると共に、第１線状パターン１３を構成する直線１５の幅Ｗ１を同一とし、第２線状パターン１４を構成する直線１６の幅Ｗ２を、該パターン１４を構成する一端の直線１６側から他端の直線１６側に次第に細くする。加えて、表面１２ａ側の線状パターン１３を、紫外線硬化インキを用いてレンチキュラーレンズ状にシルクスクリーン印刷する。    【選択図】    図２
2005103908.tif 000002
【特許請求の範囲】
【請求項１】
透明平板の表裏二面にそれぞれ模様が印刷された視覚的な動的効果を有するシルクスクリーン印刷物であって、表面側の模様は、紫外線硬化インキを用いてレンチキュラーレンズ状にシルクスクリーン印刷されていることを特徴とする視覚的な動的効果を有するシルクスクリーン印刷物。
【請求項２】
透明平板の表裏二面の模様は第１、第２の線状パターンで構成されており、かつ、それぞれの線状パターンは平行直線状とされていると共に、各パターンを構成する直線は両線状パターン間で平行とされており、さらに、各パターンを構成する直線の繰返し周期としてのピッチは同一とされていると共に、表面側の第１の線状パターンを構成する直線の幅は同一とされ、裏面側の第２の線状パターンを構成する直線の幅は、該パターンを構成する一端の直線側から他端の直線側に次第に細くされていることを特徴とする請求項１に記載の視覚的な動的効果を有するシルクスクリーン印刷物。
【請求項３】
透明平板の表面側の模様は単一の線状パターンで構成されていると共に、裏面側の模様は色彩の異なる複数の線状パターンで構成されており、かつ、それぞれの線状パターンは平行直線状とされていると共に、各パターンを構成する直線は全ての線状パターン間で平行とされており、さらに、各パターンを構成する直線の繰返し周期としてのピッチは同一とされていると共に、上記表面側の線状パターンを構成する直線の幅は同一とされ、裏面側の線状パターンを構成する直線の幅は、各線状パターン毎に、該パターンを構成する一端の直線側から他端の直線側に変化していることを特徴とする請求項１に記載の視覚的な動的効果を有するシルクスクリーン印刷物。
【請求項４】
透明平板の表面側の模様は単一の線状パターンで構成されていると共に、裏面側の模様は色彩の異なる複数の線状パターンで構成されており、かつ、それぞれの線状パターンは平行直線状とされていると共に、裏面側の線状パターンを構成する直線は、各線状パターン毎に異なる角度で傾斜して、一つの線状パターンに係る直線のみが表面側の線状パターンを構成する直線とほぼ平行とされており、さらに、これらの線状パターンを構成する直線の幅は、各線状パターン毎に、該パターンを構成する一端の直線側から他端の直線側に変化していることを特徴とする請求項１に記載の視覚的な動的効果を有するスクリーン印刷物。
【請求項５】
複数の線状パターンにより所定の物が表現されていることを特徴とする請求項２から請求項４のいずれかに記載の視覚的な動的効果を有するスクリーン印刷物。
【請求項６】
透明平板の表裏二面に視覚的な動的効果を有する模様を印刷する方法であって、表面側の模様を、紫外線硬化インキを用いてレンチキュラーレンズ状にシルクスクリーン法で印刷することを特徴とする視覚的な動的効果を有する模様の印刷方法。
【発明の詳細な説明】
【技術分野】
【０００１】
本発明は、シルクスクリーン印刷物に関し、視覚的な動的効果を生じさせるシルクスクリーン印刷技術の分野に属する。
【背景技術】
【０００２】
従来より、レンチキュラーレンズを用いて印刷物に視覚的な動的効果を付与する方法が知られており、例えば特許文献１に、連続した動作の前後を表す２枚の画像を縦または横に多数の線状帯に分割し、これら異なる画像の線状帯を交互に並べて印刷し、その上に上記線状帯の幅と方向を一致させたかまぼこ状の微細レンズをアクリル樹脂等で形成したレンチキュラー板を設けることにより、視点を移動したときに見える画像が切り換わるようにしたものが開示されてる。また、特許文献２には、プラスチック製のレンチキュラー板の裏面に線状帯に分割された画像をレンチキュラーレンズの幅と方向とに精度よく一致させて印刷する方法が開示されている。
【０００３】
ところで、上記レンチキュラー板は、上記プラスチックやアクリル素材を金型等で成形することにより製造されるが、この金型は高価であり、レンチキュラー板の価格が高くなる。しかも、上記線状帯の幅を変更しようとすると、金型も製造し直さなければならないが、前述のように金型は高価であることから、容易に変更することはできない。そこで、これに代わる動的効果の付与方法として、例えば、特許文献３に、透明平板の表面に、レンチキュラーレンズに代えてストライプ状のマスキングを印刷等で形成すると共に、裏面に、上記線状帯を印刷することにより、印刷物に動的効果や立体感を付与するものが開示されている。また、特許文献４には、透明平板の表裏二面に、平行直線状、放射線状等の同一の線状パターンで、それぞれ微妙に異なるピッチを有する第一、第二の線状パターンをシルクスクリーン印刷することにより、当該第一、第二の線状パターンによって視覚的に立体感のあるモアレ模様を生じさせるものが開示されている。
【０００４】
【特許文献１】実登第３０１２１４６号公報
【特許文献２】特開昭５５−１３０７９４号公報
【特許文献３】特開２００１−３３７３１号公報
【特許文献４】特開２００１−３０１３０６号公報
【発明の開示】
【発明が解決しようとする課題】
【０００５】
ところで、上記特許文献３に記載のものは、レンチキュラーレンズに代えてマスキングを施すものであるから、レンズ特有の屈折作用による動的効果を得ることはできない。そこで、特許文献４に記載のシルクスクリーン印刷法により線状パターンを透明なインクで印刷することが考えられるが、インク層が薄く十分な動的効果を得ることはできない。
【０００６】
そこで、本発明は、視覚的な動的効果を、安価にかつ効果的に生じさせることができるシルクスクリーン印刷物を提供することを課題とする。
【課題を解決するための手段】
【０００７】
上記課題を解決するために、本発明は、次のように構成したことを特徴とする。
【０００８】
まず、本願の請求項１に記載の発明（以下、第１発明という）は、透明平板の表裏二面にそれぞれ模様が印刷された視覚的な動的効果を有するシルクスクリーン印刷物であって、表面側の模様は、紫外線硬化インキを用いてレンチキュラーレンズ状にシルクスクリーン印刷されていることを特徴とする。
【０００９】
また、本願の請求項２に記載の発明（以下、第２発明という）は、第１発明において、透明平板の表裏二面の模様は第１、第２の線状パターンで構成されており、かつ、それぞれの線状パターンは平行直線状とされていると共に、各パターンを構成する直線は両線状パターン間で平行とされており、さらに、各パターンを構成する直線の繰返し周期としてのピッチは同一とされていると共に、表面側の第１の線状パターンを構成する直線の幅は同一とされ、裏面側の第２の線状パターンを構成する直線の幅は、該パターンを構成する一端の直線側から他端の直線側に次第に細くされていることを特徴とする。
【００１０】
そして、本願の請求項３に記載の発明（以下、第３発明という）は、第１発明において、透明平板の表面側の模様は単一の線状パターンで構成されていると共に、裏面側の模様は色彩の異なる複数の線状パターンで構成されており、かつ、それぞれの線状パターンは平行直線状とされていると共に、各パターンを構成する直線は全ての線状パターン間で平行とされており、さらに、各パターンを構成する直線の繰返し周期としてのピッチは同一とされていると共に、上記表面側の線状パターンを構成する直線の幅は同一とされ、裏面側の線状パターンを構成する直線の幅は、各線状パターン毎に、該パターンを構成する一端の直線側から他端の直線側に変化していることを特徴とする。
【００１１】
さらに、本願の請求項４に記載の発明（以下、第４発明という）は、第１発明において、透明平板の表面側の模様は単一の線状パターンで構成されていると共に、裏面側の模様は色彩の異なる複数の線状パターンで構成されており、かつ、それぞれの線状パターンは平行直線状とされていると共に、裏面側の線状パターンを構成する直線は、各線状パターン毎に異なる角度で傾斜して、一つの線状パターンに係る直線のみが表面側の線状パターンを構成する直線とほぼ平行とされており、さらに、これらの線状パターンを構成する直線の幅は、各線状パターン毎に、該パターンを構成する一端の直線側から他端の直線側に変化していることを特徴とする。
【００１２】
また、本願の請求項５に記載の発明（以下、第５発明という）は、第２発明から第４発明に記載のいずれかの発明において、複数の線状パターンにより所定の物が表現されていることを特徴とする。
【００１３】
そして、本願の請求項６に記載の発明（以下、第６発明という）は、透明平板の表裏二面に視覚的な動的効果を有する模様を印刷する方法であって、表面側の模様を、紫外線硬化インキを用いてレンチキュラーレンズ状にシルクスクリーン法で印刷することを特徴とする。
【発明の効果】
【００１４】
次に、本発明の効果について説明する。
【００１５】
まず、第１発明によれば、透明平板の表面側の模様を、紫外線硬化インキを用いてレンチキュラーレンズ状にシルクスクリーン印刷するから、レンチキュラーレンズとほぼ同様の動的効果を安価にしかも確実に実現することができる。また、印刷によりレンズを形成するから、印刷物の模様にあわせてレンズの幅、高さ等を柔軟に変更することができる。
【００１６】
ここで、その理由を説明すると、従来からシルクスクリーン印刷に一般に用いられるインキには溶剤が含まれていることから、乾燥中に溶剤が揮発してレンズとしての厚みが失われるだけでなく表面が平坦となり、この結果、十分なレンズ効果を実現することができず、動的効果を十分に達成することができないという問題があったが、本発明で用いる紫外線硬化インキは揮発性の物質を含まず、しかも速やかに固化するから、印刷時のレンズ形状がそのまま残り、十分なレンズ効果を実現することができるようになるのである。
【００１７】
また、第２発明によれば、スクリーン印刷物を見る角度を変えると、第１の線状パターンとしてのレンチキュラーレンズにより、第２の線状パターンの見え方が変化し、濃淡が見る角度により変化するグラデーションを実現することができる。
【００１８】
また、第３発明によれば、スクリーン印刷物を見る角度を変えると、表面側の線状パターンとしてのレンチキュラーレンズにより、裏面側の複数の線状パターンの見え方が変化し、色彩及びその濃淡が見る角度により変化するグラデーションを実現することができる。
【００１９】
また、第４発明によれば、スクリーン印刷物を見る角度を変えると、表面側の線状パターンとしてのレンチキュラーレンズにより、裏面側の複数の線状パターンの見え方が変化し、色彩及びその濃淡が見る角度により変化するグラデーションを実現することができる。その場合、表面側の線状パターンと表面側から見てほぼ平行とされた線状パターンが特にその効果が高められる。換言すれば、特に強調したい色彩について選択的に動的効果を付与することができる。
【００２０】
また、第５発明によれば、複数の線状パターンにより所定の物が表現されたスクリーン印刷物に、第１発明から第４発明で説明したような動的効果を付与することができる。
【００２１】
また、第６発明によれば、紫外線硬化インキを用いてレンチキュラーレンズ状の模様を容易にかつ安価にしかも確実に形成することができる。
【発明を実施するための最良の形態】
【００２２】
以下、本発明を実施するための最良の形態に係る視覚的な動的効果を有するスクリーン印刷物について説明する。
【００２３】
図１は、このスクリーン印刷物１をコインゲーム装置の表示板２に適用した例を示す。表示板２には、グラフィックイコライザ状の模様３が印刷されており、該表示板２を見る位置が変ると、該グラフィックイコライザ状の模様３の濃度やグラデーション等が変化する動的効果が得られるようになっている。以下、スクリーン印刷物１としての表示板２に係る複数の実施の形態を説明する。
【００２４】
図２は、第１の実施の形態に係るスクリーン印刷物１としての表示板１１の断面（図１のＡ−Ａ断面）を示す。アクリル材からなる透明平板１２の表面１２ａ及び裏面１２ｂには、模様としてそれぞれ第１、第２の線状のパターン１３，１４が印刷されている。また、図３に示すように、これらの線状パターン１３，１４はそれぞれ平行直線状とされていると共に、各パターン１３，１４を構成する直線１５，１６は両線状パターン１３，１４間で平行とされている。また、各パターン１３，１４を構成する直線１５，１６の繰返し周期としてのピッチＰ１，Ｐ２は同一とされていると共に、表面１２ａ側の第１線状パターン１３を構成する直線１５の幅Ｗ１は同一とされ、裏面１２ｂ側の第２線状パターン１４を構成する直線１６の幅Ｗ２は、図３（ｂ）において上方から下方に（該パターン１４を構成する一端の直線１６側（図２左側の直線１６側、図３（ｂ）上側の直線１６側）から他端の直線側（図２右側の直線１６側、図３（ｂ）下側の直線１６側）に）、次第に細くされている。なお、上記ピッチＰ１，Ｐ２は、図柄に応じて変更すればよいが、一例として言えば約０．６ｍｍ程度とすればよく、またレンズの厚みは１０〜２０μｍとすればよい。また、透明平板１２の裏面１２ｂには、第２線状パターン１４に重ねて、白色のベタ塗り層１７が印刷されている。
【００２５】
その場合に、透明平板１２の表面１２ａ側の第１線状パターン１３は、紫外線硬化インキを用いてレンチキュラーレンズ状にシルクスクリーン印刷されている。この紫外線硬化インキ（ＵＶインキ）は、紫外線のエネルギーで光化学反応を起こして液状から固状へ速やかに（秒単位で）硬化する性質を有し、その主成分は、光重合性樹脂、光重合開始材、着色料および助剤等であり、有機溶剤の揮発分は含まず、１００％不揮発分からなる。また、粘性を有することから、この紫外線硬化インキを用いて印刷すれば、印刷時の形状を維持したまま、例えばレンズ形状に印刷すれば、レンズ形状を維持したまま速やかに固化させて、十分なレンズ効果を実現することができるようになるのである。なお、従来からシルクスクリーン印刷に一般に用いられるインキには溶剤が含まれていることから、レンチキュラーレンズ状に印刷しても、乾燥中に溶剤が揮発してレンズとしての厚みが失われるだけでなく平面的となり、この結果、レンズによる十分な動的効果を実現することができないという問題があった。
【００２６】
このように構成したことにより、第１の実施の形態によれば、スクリーン印刷物１としての表示板１１を見る角度を変えると、第１線状パターン１３としてのレンチキュラーレンズにより、第２線状パターン１４の濃淡が見る角度により変化するグラデーションを実現することができる。
【００２７】
しかも、第１の実施の形態に係るスクリーン印刷物１としての表示板１１によれば、透明平板１２の表面側１２ａの模様を、紫外線硬化インキを用いてレンチキュラーレンズ状にシルクスクリーン印刷するから、レンチキュラーレンズとほぼ同様の動的効果を安価にしかも確実に実現することができる。また、印刷によりレンズを形成するから、印刷物の模様にあわせてレンズの幅、高さ等を柔軟に変更することができる。
【００２８】
ここで、その理由を説明すると、従来からシルクスクリーン印刷に一般に用いられるインキには溶剤が含まれていることから、乾燥中に溶剤が揮発してレンズとしての厚みが失われるだけでなく表面が平坦となり、この結果、十分なレンズ効果を実現することができず、動的効果を十分に達成することができないという問題があったが、本実施の形態で用いる紫外線硬化インキは揮発性の物質を含まず、しかも速乾性であるから、印刷時のレンズ形状がそのまま残り、十分なレンズ効果を実現することができるようになるのである。
【００２９】
次に、本発明の第２の実施の形態に係る視覚的な動的効果を有するスクリーン印刷物１としての表示板２１について説明する。図４は、表示板２１の断面（図１のＡ−Ａ断面）を示す。透明平板２２の表面２２ａには模様として第１の線状パターン２３が印刷され、裏面２２ｂには模様として色彩の異なる第２（シアン）、第３（マゼンタ）、第４（イエロー）の線状パターン２４，２５，２６が印刷されている。また、図５に示すように、これらの線状パターン２３〜２６はそれぞれ平行直線状とされていると共に、各パターン２３〜２６を構成する直線２７，２８，２９，３０は全ての線状パターン２３〜２６間で平行とされている。また、各パターン２３〜３６を構成する直線２７〜３０の繰返し周期としてのピッチＰ１１，Ｐ１２は同一とされていると共に、上記表面２２ａ側の第１線状パターン２３を構成する直線２７の幅Ｗ１１は全て同一とされ、裏面２２ｂ側の線状パターン２４〜２６を構成する直線２８〜３０の幅Ｗｃ，Ｗｍ，Ｗｙは、各線状パターン２４〜２６毎に、該パターン２４〜２６を構成する一端の直線２８，２９，３０側から他端の直線２８，２９，３０側に変化している。すなわち、第２の線状パターン２４を構成する直線２８の幅Ｗｃは、図５（ｂ）において上方から下方に次第に細くされている。また、第３の線状パターン２５を構成する直線２９の幅Ｗｍは、図５（ｃ）において上方から下方に次第に太くされている。また、第４の線状パターン２６を構成する直線３０の幅Ｗｙは、図５（ｄ）において上方から中ほどへ次第に太くなり、中ほどから下方へ再び細くなっている。また、透明平板２２の裏面２２ｂには、第２〜第４線状パターン２４，２５，２６に重ねて、白色のベタ塗り層３１が印刷されている。
【００３０】
その場合に、透明平板２２の表面２２ａ側の第１線状パターン２３は、第１の実施の形態同様、紫外線硬化インキを用いてレンチキュラーレンズ状にシルクスクリーン印刷されており、これによれば、スクリーン印刷物２１を見る角度を変えると、透明平板２２の表面側の線状パターン２３としてのレンチキュラーレンズにより、裏面側の複数の線状パターン２４，２５，２６の見え方が変化し、色彩及びその濃淡が見る角度により変化するグラデーションを実現することができる。
【００３１】
次に、本発明の第３の実施の形態に係る視覚的な動的効果を有するスクリーン印刷物１としての表示板４１について説明する。図６は、表示板４１の断面（図１のＡ−Ａ断面）を示す。透明平板４２の表４２ａには模様として第１の線状パターン４３が印刷され、裏面４２ｂには模様として色彩の異なる第２（シアン）、第３（マゼンタ）、第４（イエロー）、第５（ブラック）の線状パターン４４，４５，４６，４７が印刷されている。また、図７に示すように、これらの線状パターン４３〜４７はそれぞれ平行直線状とされていると共に、これらのパターン４３〜４７を構成する直線４７，４８，４９，５０，５１は、各線状パターン４３〜４７毎に異なる角度で傾斜し、第３線状パターン４５に係る直線４９のみが表面４２ａ側から見て表面４２ａ側の線状パターン４３を構成する直線４２とほぼ平行とされている。また、各線状パターン４３〜４７を構成する直線４８〜５２の幅は、各線状パターン４３〜４７毎に、該パターン４３〜４７を構成する一端の直線４８〜５２側から他端の直線４８〜５２側に変化している。なお、図６に示す各直線４７，４８，４９，５０，５１の幅は、一例として表記したものである。
【００３２】
すなわち、図７（ａ）に示すように、第１線状パターン４３を構成する直線４８は、約７５°の角度で左下りに傾斜しており、かつ幅が左側から右側にかけて次第に太くなっており、図７（ｂ）に示すように、第２線状パターン４４を構成する直線４９は、表面４２ａ側から見て約１０５°の角度で右下りに傾斜しており、かつ幅が左側から右側にかけて次第に細くなっており、図７（ｃ）に示すように、第３線状パターン４５を構成する直線５０は、表面４２ａ側から見て約７５°の角度で左下りに傾斜しており、かつ幅が左側から右側にかけて次第に太くなっており、図７（ｄ）に示すように、第４線状パターン４６を構成する直線５１は、上下方向に延びて、幅が左側から（一端の直線５１側から）中ほどへ次第に太くなり、中ほどから右側に（他端の直線５１側に）再び細くなっており、図７（ｅ）に示すように、第５線状パターン４７を構成する直線５２は、表面４２ａ側から見て約４５°の角度で左下りに傾斜しており、かつ幅が左上方から（一端の直線５２側から）中ほどへ次第に太くなり、中ほどから右下方に（他端の直線５２側に）再び細くなっている。また、透明平板４２の裏面４２ｂには、第２〜第５線状パターン４４〜４７に重ねて、白色のベタ塗り層５３が印刷されている。
【００３３】
その場合に、透明平板４２の表面４２ａ側の第１線状パターン４３は、紫外線硬化インキを用いてレンチキュラーレンズ状にシルクスクリーン印刷されており、これによれば、スクリーン印刷物４１を見る角度を変えると、透明平板４２の表面４２ａ側の第１線状パターン４３としてのレンチキュラーレンズにより、裏面４２ｂ側の第２〜第５線状パターン４４〜４７の見え方が変化し、色彩及びその濃淡が見る角度により変化するグラデーションを実現することができる。その場合、第１線状パターン４３と第３線状パターン４５とを表面４２ａ側から見てほぼ平行としたことにより、第３線状パターン４５が最も見る角度により変化し易く、効果的に動的効果を付与することができる。換言すれば、強調したい特定の色彩に係る線状パターンとレンチキュラーレンズ状の第１の線状パターン４３とをほぼ平行とすると共にそのピッチもほぼ同一とすることにより選択的に動的効果を付与することができるようになる。
【００３４】
次に、第４の実施の形態に係る視覚的な動的効果を有するスクリーン印刷物６１について説明する。第４の実施の形態に係るスクリーン印刷物６１は、第３の実施の形態をベースとしたもので、各線状パターンは、第３の実施の形態と同様の傾きとされている。図８（ａ）に示す炎の模様に動的効果を付与しようとするものである。すなわち、該模様を、前述の図６（ａ）〜（ｅ）のような第１〜第５の線状パターンで構成するものであり、そのうちの第３線状パターン６１の模様を図８（ｂ）に示す。第３線状パターン６１は、炎を構成する重要な色彩のマゼンタ色の平行な複数の線６２で構成されている。
【００３５】
ここで、一般に、スクリーン印刷によるカラー印刷物の模様は、通常シアン，マゼンタ、イエロー、ブラックの４色の点で構成され、これらの点は不規則に配置されるが、これにレンチキュラーレンズを組み合わせても、動的効果を得にくいという問題がある。そこで、本実施の形態においては、各線状パターンを構成する直線は複数の点で構成されているものの、点状に不規則に設けるのでなく、これらを直線上に配置し、かつ幅が１本の直線の中で細くなったり太くなるようにしている。また、表面側の第１線状パターンは、表面側から見て上記マゼンタ色の直線６２と平行とされており、これにより、該マゼンタ色の直線６２に最も効果的な動的効果を付与して、炎のゆらめきを表現するようにしている。
【００３６】
このように第４の実施の形態によれば、絵画等においても効果的に動的効果を付与することができるようになる。
【００３７】
次に、上記複数の実施の形態で説明したスクリーン印刷物の印刷方法について、第２の実施の形態に係るスクリーン印刷物２１を例にとって説明する。
【００３８】
まず、透明平板２２の裏面２２ｂに第２線状パターン２４（シアン）を印刷する。次に、同裏面２２ｂに第３線状パターン２５（マゼンタ）を印刷する。次に、同裏面２２ｂに第４線状パターン２６（イエロー）を印刷する。次に、これらの線状パターン２４，２５，２６に重ねて、白べた塗り層３１を印刷する。そして、透明平板２２の表面２２ａに、紫外線硬化インキを用いてレンチキュラーレンズ状にシルクスクリーン法で第１線状パターン２３（無色透明）を印刷する。その場合に、第１線状パターン２３は、前述のように紫外線硬化インキを用いてレンチキュラーレンズ状に印刷されるが、該紫外線硬化インキは速やかに固化する性質を有するので、その形状が平坦になったりすることなく、印刷時のまま維持されることとなる。そして、この印刷方法によれば、レンチキュラーレンズ状の模様を容易にかつ安価にしかも速やかにかつ確実に形成することができる。
【００３９】
なお、第３、第４の実施の形態で説明した線状パターンを構成する直線の角度は一例であり、図柄等に応じて変更すればよい。
【産業上の利用可能性】
【００４０】
本発明は、視覚的な動的効果を生じさせるシルクスクリーン印刷物の印刷技術に広く適用することができる。
【図面の簡単な説明】
【００４１】
【図１】本発明を実施するための最良の形態に係る視覚的な動的効果を有するスクリーン印刷物をゲーム機の表示板に適用した例を示す図である。
【図２】図１のＡ−Ａ線による断面図である。
【図３】スクリーン印刷物の線状パターン図である。
【図４】第２の実施の形態に係るスクリーン印刷物の断面図である。
【図５】第２の実施の形態に係るスクリーン印刷物の線状パターン図である。
【図６】第３の実施の形態に係るスクリーン印刷物の断面図である。
【図７】第３の実施の形態に係るスクリーン印刷物の線状パターン図である。  。
【図８】第４の実施の形態に係るスクリーン印刷物の模様及び線状パターンを示す図である。
【符号の説明】
【００４２】
１            シルクスクリーン印刷物
１２          透明平板
１２ａ        表面
１２ｂ        裏面
１３          第１線状パターン
１４          第２線状パターン
１５          第１線状パターンを構成する直線
１６          第２線状パターンを構成する直線
【図１】
2005103908.tif 000003
【図２】
2005103908.tif 000004
【図３】
2005103908.tif 000005
【図４】
2005103908.tif 000006
【図５】
2005103908.tif 000007
【図６】
2005103908.tif 000008
【図７】
2005103908.tif 000009
【図８】
2005103908.tif 000010